(57)【要約】      （修正有）【課題】篩骨のような一般に納骨用遺骨として安置される遺骨を収納することができ、仏壇の中に違和感なく安置して祀ることができる位牌型納骨器を提供する。【解決手段】位牌型納骨器に、台座と、その上に設置された位牌部１２を設ける。この位牌部１２は、２つの遺骨収納部１３４、１３５を有する引き出し１３と、その蓋であり表面に故人の法名又は戒名が彫り込まれている札板１４と、それらを収納する引き出し収納部１５とから成る。遺骨収納部１３４、１３５の高さ、幅及び奥行をそれぞれ３ｃｍ以上とすることにより、篩骨のようなある程度の大きさの納骨用遺骨を収めることができる。また、一般的な位牌と同様に、台座部と位牌部１２が設けられているため、仏壇の中に違和感なく安置することができる。このような位牌型納骨器であれば、故人の遺骨を、墓地や納骨堂に納骨する代わりに自宅の仏壇等に安置して祀ることができる。【選択図】図２
0003145476.tif 000002
【実用新案登録請求の範囲】
【請求項１】
台座部と、
前記台座部の上に設置された位牌部と、
該位牌部の内部に設けられた空間である遺骨収納部と、
を備えるとともに、
前記遺骨収納部の高さ、幅及び奥行がそれぞれ3cm以上であることを特徴とする位牌型納骨器。
【請求項２】
前記位牌部に、前記遺骨収納部を有する引き出しが設けられていることを特徴とする請求項１に記載の位牌型納骨器。
【請求項３】
前記引き出しが、表面に法名又は戒名が記入された札板によって蓋をされた状態で、且つ該札板の表面を前記位牌部の正面に向けた状態で、該位牌部に挿入されるとともに、
前記位牌部の正面に、前記法名又は戒名を外部から見えるようにするための窓が設けられていることを特徴とする請求項１又は２に記載の位牌型納骨器。
【請求項４】
前記引き出しが前記位牌部の上面側から挿入されることを特徴とする請求項１〜３のいずれかに記載の位牌型納骨器。
【請求項５】
前記引き出しに前記遺骨収納部を複数に区切るための仕切りが設けられていることを特徴とする請求項１〜４のいずれかに記載の位牌型納骨器。
【請求項６】
前記位牌部の正面、左右側面及び背面が板材からなり、前記遺骨収納部が、該板材により囲まれた空間であることを特徴とする請求項１に記載の位牌型納骨器。
【請求項７】
前記位牌部の上部が、該上部に設けられた蓋により開閉可能であることを特徴とする請求項１又は６に記載の位牌型納骨器。
【考案の詳細な説明】
【技術分野】
【０００１】
本考案は、故人の遺骨を安置して祀るための位牌型の納骨器に関する。
【背景技術】
【０００２】
一般に、故人の遺骨は墓地や納骨堂に安置される。近年、特に都市部では、墓地や納骨堂の設置場所や敷地面積に限りがあるため、納骨する場所を確保することが困難になりつつある。納骨場所を確保することができたとしても高額の費用がかかることも多い。都市部から離れれば、納骨場所を確保しやすくなるものの、都市部に居住する遺族にとっては墓参りを行うのに時間がかかる。
【０００３】
また、従来より、故人の遺骨を墓地等に納骨した後、納骨された遺骨とは別に分けておいた遺骨の一部を自宅の仏壇等に安置して祀ることができるように、位牌の内部に遺骨の収納部を設けることが提案されている（例えば特許文献１、２参照）。そのような位牌では、厚さ1cm程度の位牌の中に遺骨収納部が設けられている。
【０００４】
【特許文献１】実登３０４１０６７号公報
【特許文献２】実登３１４１３０７号公報
【考案の開示】
【考案が解決しようとする課題】
【０００５】
従来の位牌では、故人の遺骨のごく一部の小さなかけらを保管することが想定されているため、その遺骨収納部には、墓地等に納骨される程度の量の遺骨を収めることはできない。また、遺族等が納骨用遺骨として祀る遺骨には一般に喉仏の骨と言われる幅及び高さが3〜5cm程度である篩骨（実際には背骨の最上部の骨）が必ず含まれるが、従来の位牌ではそれを収めることができない。
【０００６】
故人の遺骨を収める器としては、故人の全ての遺骨を入れることができる総骨壺があるが、総骨壺は幅及び高さが20〜30cm程度の大きさを有し、大型の仏壇でなければその中に収めることができない。また、総骨壺は位牌とは全く異なる形状であり、一般に、仏壇の中に安置するためのものではない。
【０００７】
本考案は以上のような課題を解決するために成されたものであり、その目的は、篩骨のような一般に納骨用遺骨として安置される遺骨を収納することができ、仏壇の中に違和感なく安置して祀ることができる位牌型納骨器を提供することである。
【課題を解決するための手段】
【０００８】
上記課題を解決するために成された本考案に係る位牌型納骨器は、
台座部と、
該台座部の上に設置された位牌部と、
該位牌部の内部に設けられた空間である遺骨収納部と、
を備えるとともに、
前記遺骨収納部の高さ、幅及び奥行がそれぞれ3cm以上であることを特徴とする。
【考案の効果】
【０００９】
本考案に係る位牌型納骨器によれば、遺骨収納部の高さ、幅及び奥行が3cm以上であるため、篩骨のようなある程度の大きさの納骨用遺骨を収納することができる。また、一般的な位牌と同様に、台座部と位牌部が設けられているため、仏壇の中に違和感なく安置することができる。このような位牌型納骨器であれば、故人の遺骨を、墓地や納骨堂に納骨する代わりに自宅の仏壇等に安置して祀ることができる。
【考案を実施するための最良の形態】
【００１０】
以下、図面に基づき、本考案に係る位牌型納骨器の実施例について説明する。
【実施例１】
【００１１】
図１に、本考案の第１の実施例に係る位牌型納骨器１０の正面図を示す。位牌型納骨器１０は、台座１１と、その上に設置された位牌部１２から成る。それらの表面には漆が塗られており、部分的に金箔による装飾が施されている。図２に、位牌部１２の分解斜視図を示す。位牌部１２は、遺骨が収納される引き出し１３と、その蓋であり表面に故人の法名又は戒名（図中では丸印で示す）が彫り込まれている板状の札板１４と、それらを収納する引き出し収納部１５とから成る。札板１４の正面又は背面には故人の俗名や享年などが記入されている（図示せず）。
【００１２】
引き出し１３の正面は、そこから遺骨を入れるために開放されている。引き出し１３の内部は、板材である仕切り１３１により上下２つの空間（遺骨収納部１３４、１３５）に分割されている。遺骨収納部１３４、１３５の寸法は、篩骨のようなある程度の大きさの納骨用遺骨を入れることができるように、高さ、幅及び奥行をそれぞれ3cm以上にする。本実施例では高さ6cm、幅5.5cm、奥行4cmとする。
【００１３】
引き出し１３の上面板１３２は左右に張り出しており、その上面は上に凸となるように湾曲している。上面板１３２を除いた引き出し１３の幅は、札板１４の幅と同じにする。上面板１３２及びそれに対向する底面板１３３は、図３に示すように、札板１４の厚さと同程度だけ他の部分よりも前方（図３では右方向）に突出させる。それらの突出部の間隔は札板１４の長さと同程度にし、各突出部の間に札板１４を嵌めることができるようにする。
【００１４】
引き出し収納部１５は、上面に、引き出し１３を出し入れするための開口を有する箱である。その正面には、札板１４に彫り込まれた法名又は戒名を外部から見えるようにするための窓１５１が設けられている。窓１５１は札板１４の幅よりも狭くし、札板１４が窓１５１から外部に飛び出さないようにしておくことが望ましい。
【００１５】
本実施例に係る位牌型納骨器１０に納骨用遺骨を収納する際には、引き出し１３の遺骨収納部１３４、１３５のいずれか又は両方に納骨用遺骨を入れ、引き出し１３の正面に法名又は戒名が外を向くように札板１４を嵌める。この引き出し１３を、札板１４の表面を位牌部１２の正面に向けた状態で、台座１１の上に設置された引き出し収納部１５上面の開口から挿入する。引き出し１３を引き出し収納部１５の奥まで挿入すると、札板１４表面の法名又は戒名が窓１５１を通して外部から見える。このような位牌型納骨器１０は、自宅の仏壇の中に安置しておくほか、納骨堂等に安置してもよい。
【００１６】
本実施例に係る位牌型納骨器１０では、仕切り１３１により２つの遺骨収納部１３４、１３５が設けられているため、それらに夫婦等の二人の納骨用遺骨を収納することができる。後に亡くなった故人の法名又は戒名は、引き出し１３から札板１４を取り外すことで、その札板１４に容易に追加彫りすることができる。引き出し１３に仕切り１３１を設けず、図４に示すように位牌部の長さを短くして、その中に一人の故人の納骨用遺骨を収納してもよい。
【実施例２】
【００１７】
図５に、本考案の第２の実施例に係る位牌型納骨器２０の正面図（ａ）及び側面図（ｂ）を示す。位牌型納骨器２０は、台座２１と、その上に設置された位牌部２２からなる。位牌部２２の上部には、蓋２４が脱着可能に取り付けられている。各部材の表面には漆が塗られており、部分的に金箔による装飾が施されている。位牌部２２の正面には、２名の故人の法名又は戒名が彫り込まれ（図中では丸印で示す）、その正面又は背面には故人の俗名や享年などが記入されている（図示せず）。
【００１８】
図６に、蓋２４を取り外した状態の位牌型納骨器２０の平面図を示す。位牌部２２は、その正面に設けられた正面板２２１、左側面に設けられた左側面板２２２、右側面に設けられた右側面板２２３及び背面に設けられた背面板２２４を備える。各板は隣接する他の板と接合されており、それらにより囲まれた空間が遺骨を収納するための遺骨収納部２３となる。遺骨収納部２３の寸法は、篩骨等の納骨用遺骨を入れることができるように少なくとも高さ、幅及び奥行を3cm以上にする。本実施例では、その寸法を高さ8〜13cm、幅5cm、奥行5cmとする。
【００１９】
図７に、正面板２２１と左側面板２２２の接合部の拡大横断面図を示す。左側面板２２２の位牌部正面側の端部には、正面板２２１を上下にスライドさせて取り外し可能にするためのガイド溝２２２ａが設けられている。正面板２２１の左端部には、ガイド溝２２２ａに対応する凸部２２１ａが設けられている。同様に、右側面板２２３と正面板２２１の接合部にも、ガイド溝及び凸部が設けられている。
【００２０】
図８に、蓋２４と左側面板２２２の接合部の拡大縦断面図を示す。蓋２４の下端には、上側段差部２４ａが設けられており、左側面板２２２の上端には、上側段差部２４ａに対応する下側段差部２２２ｂが設けられている。同様に、蓋２４と右側面板２２３の接合部にも上側段差部及び下側段差部が設けられている。
【００２１】
本実施例に係る位牌型納骨器２０に遺骨を収納する際には、蓋２４を位牌部２２から取り外し、位牌部２２の上部を開口させる。その開口から遺骨収納部２３の中に、納骨用遺骨を入れる。その後、蓋２４を位牌部２２の上部に取り付ける。このとき、蓋２４の上側段差部と、左側面板２２２及び右側面板２２３の下側段差部を噛み合わせ、蓋２４を位牌部２２の上部からずれないようにする。納骨用遺骨が収められた位牌型納骨器２０は、自宅の仏壇の中に安置しておくほか、納骨堂等に安置してもよい。
【００２２】
本実施例に係る位牌型納骨器２０は、遺骨収納部２３に２つの篩骨を収めることができる寸法であり、そこに夫婦等の二人の納骨用遺骨を収納することができる。また、位牌型納骨器２０は、正面板２２１をスライドさせて取り外すことができるため、後に亡くなった故人の法名又は戒名を正面板２２１に追加彫りする際に、取り外した正面板２２１に加工すればよく、その作業を行いやすい。
【００２３】
上記実施例は本考案の一例であり、本考案の趣旨の範囲で適宜変更が許容される。例えば、位牌部の上部を前後や横に張り出す屋根にしてもよい。遺骨収納部に収めるものは遺骨に限らず、故人の遺品にしてもよい。実施例１では引き出し収納部の側面、正面又は背面に開口を設けて、その開口から引き出しを出し入れしてもよい。また、複数の仕切りにより３つ以上の遺骨収納部を設けてもよい。実施例２では、正面板に設けられるスライド構造を背面板に設けてもよい。また、蓋を固定するために、左右の側面板の上端に段差部を設けるのではなく、正面板と背面板等に段差部を設けてもよい。
【図面の簡単な説明】
【００２４】
【図１】本考案の第１の実施例に係る位牌型納骨器の正面図。
【図２】該位牌型納骨器の位牌部の分解斜視図。
【図３】該位牌型納骨器の引き出し及び札板の側面図。
【図４】位牌型納骨器の変形例の正面図。
【図５】本考案の第２の実施例に係る位牌型納骨器を説明する図であり、（ａ）はその正面図、（ｂ）はその側面図である。
【図６】蓋を取り外した状態の該位牌型納骨器の平面図。
【図７】該位牌型納骨器の正面板と左側面板の接合部の拡大横断面図。
【図８】該位牌型納骨器の蓋と左側面板の接合部の拡大縦断面図。
【符号の説明】
【００２５】
１０、２０…位牌型納骨器
１１、２１…台座
１２、２２…位牌部
１３２…上面板
１３３…底面板
１３４、１３５、２３…遺骨収納部
１４…札板
１５…引き出し収納部
１５１…窓
２２１…正面板
２２１ａ…凸部
２２２…左側面板
２２２ａ…ガイド溝
２２２ｂ…下側段差部
２２３…右側面板
２２４…背面板
２４…蓋
２４ａ…上側段差部
【図１】
0003145476.tif 000003
【図２】
0003145476.tif 000004
【図３】
0003145476.tif 000005
【図４】
0003145476.tif 000006
【図５】
0003145476.tif 000007
【図６】
0003145476.tif 000008
【図７】
0003145476.tif 000009
【図８】
0003145476.tif 000010